(57)【要約】【課題】  作業者が溶接電源装置と遠く離れて溶接作業を行っているときに危急事態が発生したとき、速やかに作業者が溶接電源装置のノーヒューズ・ブレーカをオフできない。【解決手段】  ノーヒューズ・ブレーカと、商用交流電源を溶接に適した電力に変換する主回路と、主回路の出力を制御する主制御回路とで成る溶接電源装置と、溶接トーチと、溶接トーチに溶接ワイヤの送給を行う送給装置と、を備えた溶接機において、溶接トーチにマイクを設け、溶接電源装置にノーヒューズ・ブレーカをオフするブレーカ駆動回路を設け、主制御回路は、溶接トーチの操作スイッチを所定時間内に所定回数オン、オフを繰り返すと音声認識モードになり、マイクにて取得した所定の音声を接続ケーブルを介して受信し、音声の音量が予め定めた音量基準値より大きいときブレーカ駆動回路を動作させてノーヒューズ・ブレーカをオフする、ことを特徴とする溶接機である。【選択図】  図１
2014076478.tif 000002
【特許請求の範囲】
【請求項１】
商用交流電源を通電又は遮断するノーヒューズ・ブレーカ、前記商用交流電源を溶接に適した電力に変換して出力する主回路及び前記主回路を出力制御する主制御回路で形成する溶接電源装置と、前記電力の供給を受けてアークを発生させる溶接トーチと、前記アークによる消耗に応じて前記溶接トーチに溶接ワイヤの送給を行う送給装置と、を備えた溶接機において、前記溶接電源装置、前記送給装置及び前記溶接トーチは接続ケーブルにて接続されるものであり、前記溶接トーチにマイクを所定の位置に設け、前記溶接電源装置に前記ノーヒューズ・ブレーカをオフするブレーカ駆動回路を設け、前記主制御回路は、前記溶接トーチの操作スイッチを所定時間内にオン、オフを所定回数繰り返すと音声認識モードになり、前記マイクにて取得した音声を前記接続ケーブルを介して受信し、前記受信した音量が予め定めた音量基準値より大きいとき前記ブレーカ駆動回路を動作させて前記ノーヒューズ・ブレーカをオフする、ことを特徴とする溶接機。
【請求項２】
前記マイクにて取得した音声を前記主制御回路にて処理可能な音声信号に変換する変換処理回路を前記溶接トーチに設けた、ことを特徴とする請求項１記載の溶接機。
【請求項３】
前記マイクに接続線を設け、前記接続線を介して前記溶接トーチに接続する、ことを特徴とする請求項１又は請求項２に記載の溶接機。
【発明の詳細な説明】
【技術分野】
【０００１】
本発明は、溶接機を形成する溶接電源装置に備えられたノーヒューズ・ブレーカの遠隔制御に関するものである。
【背景技術】
【０００２】
溶接機に緊急事態が発生したとき、作業者が溶接電源装置に設けられたノーヒューズ・ブレーカをオフすることで対処していた。しかし、溶接を行う作業場が狭いところでは、作業者が限定された狭い空間を移動しなければならず、ノーヒューズ・ブレーカをオフするのに時間を必要とした。
【０００３】
図３を用いて従来技術に溶接機２０について説明する。
図３に示す溶接電源装置２１は、商用交流電源ＡＣを通電又は遮断するノーヒューズ・ブレーカ２３と、ノーヒューズ・ブレーカ２３から供給される商用交流電源ＡＣをアーク溶接に適した直流の出力電力で生成して出力する主回路４と、主回路４を出力制御する主制御回路２２と、で形成されている。
【０００４】
溶接電源装置２１の一方の出力端子は、電力線と通信線とが混在した接続ケーブル２６を介して送給装置２５に接続され、送給装置２５は同じく接続ケーブル２６を介して溶接トーチ２４に接続される。溶接電源装置２１の他方の出力端子は、接地用ケーブル１５を介して被加工物１２に接続される。
【０００５】
図３に示す送給装置２５は、主制御回路２２の出力制御に応じてワイヤ電極１１を溶接トーチ２４に送給する。
【０００６】
溶接トーチ２４は、ワイヤ電極１１からのアーク発生とともに、そのアークの周囲（電極１１の周囲）にシールドガスの噴射が行われる。即ち、ガス貯蔵装置１４と送給装置２５との間及び送給装置２５と溶接トーチ２４との間は、ガス貯蔵装置１４にて貯蔵されたシールドガスが送給ホース１７を介して送給される。ガス貯蔵装置１４には、ガスの送給量を調整する図示省略のガスレギュレータ１３が備えられ、該レギュレータは、主制御回路２２の制御に基づき、溶接トーチ２４へのガスの送給量（トーチ２４からの噴射量）の調整を行う。
【０００７】
溶接トーチ２４は、作業者の手動操作が可能な操作スイッチ９が備えられている。操作スイッチ９は、アーク溶接の開始や停止（オン・オフ）、出力電流・電圧といったパラメータ調整等、溶接に係る操作指令が可能であり、接続ケーブル２６を介して主制御回路２２に送信される。
【０００８】
しかし、溶接作業中において、何らかの原因で溶接電源装置２１に危急事態が発生し、安全確保等のために溶接電源装置に設けられているノーヒューズ・ブレーカ２３まで作業者が移動してオフしていた。しかし、作業場が手狭で溶接電源装置まで距離があるとき、作業者が溶接電源装置２１まで俊敏に移動できず、危急事態の対応が遅れてしまう。
そこで、例えば、特許文献１に示すように、溶接電源装置２１にマイク、音声認識回路及びブレーカ駆動回路を設け、危急事態が発生したときに、作業者がマイクに向かって大声で、例えば、停止と発してノーヒューズ・ブレーカをオフさせていた。
【先行技術文献】
【特許文献】
【０００９】
【特許文献１】特開平６−２７９８６号公報
【発明の概要】
【発明が解決しようとする課題】
【００１０】
従来技術では、溶接電源装置に危急事態が発生したとき、作業者が溶接電源装置に設けられたマイクに向かって大声で、停止と発してノーヒューズ・ブレーカをオフさせていた。
【００１１】
しかし、作業現場において、周辺の雑音が非常に大きい、例えば、造船所等において、作業者が溶接電源装置に向かって大声で停止と発しても、周辺の雑音の影響を受けてノーヒューズ・ブレーカがオフできないことが多々ある。そこで、本発明では、上記の課題を解決する溶接電源装置を供給することを目的とする。
【課題を解決するための手段】
【００１２】
上述した課題を解決するために、第１の発明は、商用交流電源を通電又は遮断するノーヒューズ・ブレーカ、前記商用交流電源を溶接に適した電力に変換して出力する主回路及び前記主回路を出力制御する主制御回路で形成する溶接電源装置と、前記電力の供給を受けてアークを発生させる溶接トーチと、前記アークによる消耗に応じて前記溶接トーチに溶接ワイヤの送給を行う送給装置と、を備えた溶接機において、
前記溶接電源装置、前記送給装置及び前記溶接トーチは接続ケーブルにて接続されるものであり、前記溶接トーチにマイクを所定の位置に設け、前記溶接電源装置に前記ノーヒューズ・ブレーカをオフするブレーカ駆動回路を設け、前記主制御回路は、前記溶接トーチの操作スイッチを所定時間内にオン、オフを所定回数繰り返すと音声認識モードになり、前記マイクにて取得した音声を前記接続ケーブルを介して受信し、前記受信した音量が予め定めた音量基準値より大きいとき前記ブレーカ駆動回路を動作させて前記ノーヒューズ・ブレーカをオフする、ことを特徴とする溶接機である。
【００１３】
第２の発明は、前記マイクにて取得した音声を前記主制御回路にて処理可能な音声信号に変換する変換処理回路を前記溶接トーチに設けた、ことを特徴とする請求項１記載の溶接機である。
【００１４】
第３の発明は、前記マイクに接続線を設け、前記接続線を介して前記溶接トーチに接続する、ことを特徴とする請求項１又は請求項２に記載の溶接機である。
【発明の効果】
【００１５】
本発明では、作業現場の周辺の雑音が大きく、且つ作業者と溶接電源装置との間に距離がある作業現場において、溶接電源装置に危急事態が発生し、作業者が溶接電源装置に内蔵されているノーヒューズ・ブレーカを速くオフする必要があるとき、溶接トーチに設けられたマイクに向かって大声で所定の言語（例えば、停止）を話すと、遠隔からノーヒューズ・ブレーカがオフできるので、危急事態の処理が早く行うことが可能となる。
【図面の簡単な説明】
【００１６】
【図１】本発明の実施形態１に係る溶接機の電気接続図である。
【図２】実施形態１の溶接電源装置の詳細図である。
【図３】従来技術の溶接機の電気接続図である。
【発明を実施するための形態】
【００１７】
図１、図２を参照して本発明の実施形態１の動作について説明する。
図１は、本発明の実施形態１に係る溶接機の電気接続図である。同図において、図３に示す従来技術の溶接電機の電気接続図と同一符号の構成物は、同一動作を行うので説明は省略し、符号の相違する構成物についてのみ説明する。
【００１８】
図１に示す溶接電源装置２は、商用交流電源ＡＣを通電又は遮断するノーヒューズ・ブレーカ３と、ノーヒューズ・ブレーカ３から供給される商用交流電源ＡＣをアーク溶接に適した直流の出力電力で生成して出力する主回路４と、主回路４を出力制御すると共に、トーチスイッチのオン・オフを予め定めた時間内に所定回数繰り返すと主制御モードから音声認識モードになる主制御回路５と、ノーヒューズ・ブレーカ３をオフさせるブレーカ駆動回路６とで形成されている。
【００１９】
溶接電源装置２の一方の出力端子は、電力線と制御線とが混在した接続ケーブル１６を介して送給装置７に接続され、送給装置７は同じく接続ケーブル１６を介して溶接トーチ８に接続される。溶接電源装置２の他方の出力端子は、接地ケーブル１５を介して被加工物１２に接続される。
【００２０】
図３に示す送給装置７は、主制御回路５の出力制御に応じてワイヤ電極１１を溶接トーチ８に送給する。
【００２１】
溶接トーチ８においては、ワイヤ電極１１からのアークの発生とともに、そのアークの周囲にシールドガスの噴射が行われる。即ち、ガス貯蔵装置１４と送給装置７との間、及び送給装置７と溶接トーチ８との間は、ガス貯蔵装置１４にて貯蔵されるシールドガスを溶接トーチ８へ送給するために送給ホース１７にて接続される。
【００２２】
図１に示す溶接トーチ８は、作業者の手動操作が可能な操作スイッチ９が備えられている。操作スイッチ９は、アーク溶接の開始や停止等の音声信号は発生し、接続ケーブル１６を介して主制御回路５に送信される。
【００２３】
また、溶接トーチ８には、小型のマイク１０と、マイク１０にて取得された音声を主制御回路５にて処理可能な音声信号に変換する図示省略の変換処理回路が溶接トーチ８に設けられている。そして、操作スイッチ９を予め定めた時間に所定回数オン・オフを繰り返すと、変換処理回路は取得された音声を音声信号に変換し接続ケーブル１６の図示省略の制御線を介して主制御回路５に入力する。
【００２４】
図２は、図１に示す溶接電源装置２の詳細図であり、ノーヒューズ・ブレーカ３と、ノーヒューズ・ブレーカ３をオフさせるブレーカ駆動回路６、ノーヒューズ・ブレーカ３から供給される商用交流電源ＡＣをアーク溶接に適した直流の出力電力で生成して出力する主回路４と、溶接トーチ８のオンに応じて主回路４を出力制御し、操作スイッチ９を予め定めた時間に所定回数オン・オフを繰り返すと、主制御モードから音声認識モードになり、音声の音量が予め定めた音量基準値より大きくなるとブレーカ駆動回路６を起動させて、ノーヒューズ・ブレーカ３と、ノーヒューズ・ブレーカ３をオフさせる主制御回路５と、で形成されている。
【００２５】
つぎに、動作について説明する。
作業者が溶接電源装置２に危急事態を確認し、図１に示すノーヒューズ・ブレーカ３をオフする必要があると判断したとき、作業者が溶接トーチの操作スイッチ９を所定時間内に所定回数オン・オフを繰り返して音声認識モードを選択すると、主制御回路５は音声認識モードが選択されたと認識する。
【００２６】
続いて、作業者は、溶接トーチに設けられたマイク１０に向かって、例えば、大きな声で停止と怒鳴ると、溶接トーチに設けられた図示省略の変換処理回路により、マイク１０からの音声（アナログ）を音声信号（デジタル）に変換し、主制御回路５は、受信した音声信号をアナログに変換し音声の音量と予め定めた音量基準値と比較し、音量が音量基準値より大きくなるとブレーカ駆動回路６を動作させる。
このとき、音声をデイタル信号に変換し、接続ケーブル１６を介して有線で送信するのでノイズの影響を抑制できる。
【００２７】
ブレーカ駆動回路６は、図２に示すノーヒューズ・ブレーカ３に内蔵されているコイルに所定の電圧を印加してスイッチＳＷ１〜ＳＷ３をオフし、溶接電源装置に商用交流電源ＡＣの供給を遮断する。
【００２８】
溶接トーチ８の所定に位置にマイク１０を配設しているが、図１の点線で示すマイクに接続線を設け、溶接トーチ８に図示省略の接続部を設け、接続線を介してマイク１０を溶接トーチ８に接続してもよい。このとき、マイクは、例えば、耳掛け式のマイクであり、装着した作業者からの音声を取得する。
【００２９】
また、外部の雑音による誤動作を抑制するために、受信した音声の音量が音量基準値を越えて所定時間（例えば、１秒）が経過した後にブレーカ駆動回路６を動作させてもよい。
【００３０】
次に、本実施形態の特徴的な効果を記載する。
（１）溶接電源装置まで移動するのに距離があり移動時間を必要とする作業現場において、溶接トーチに設けられたマイクに向かって大声で、例えば、停止と話すと、作業者が遠隔からノーヒューズ・ブレーカがオフできるので、危急事態に対する処理が早く行うことができる。
（２）マイクからの音声（アナログ）を音声信号（デジタル信号）に変換し制御線を介して有線で主制御回路まで送信するので、作業者と溶接電源装置とが、例えば、１０ｍ〜２０ｍも離れ、更に作業場周辺のノイズが非常に大きくてもノイズの影響を受けず遠隔からノーヒューズ・ブレーカを精度良くオフできる。更に、音声信号の溶接トーチから主制御回路５への送信は、既存の接続ケーブル１６の制御線を併用することで、音声信号に使用する制御線を別途用意しなくても済む。
【符号の説明】
【００３１】
１        溶接機
２        溶接電源装置
３        ノーヒューズ・ブレーカ
４        主回路
５        主制御回路
６        ブレーカ駆動回路
７        送給装置
８        溶接トーチ
９        操作スイッチ
１０      マイク
１１      ワイヤ電極
１２      被加工物
１３      ガスレギュレータ
１４      ガス貯蔵装置
１５      接地ケーブル
１６      接続ケーブル
１７      送給ホース
２０      溶接機（従来機）
２１      溶接電源装置（従来機）
２２      主制御回路
２３      ノーヒューズ・ブレーカ（従来機）
２４      溶接トーチ
２５      送給装置（従来機）
２６      接続ケーブル
２７      マイク
【図１】
2014076478.tif 000003
【図２】
2014076478.tif 000004
【図３】
2014076478.tif 000005